(57)【要約】      （修正有）【課題】従来よりも容易に仮設樋を設置できる技術を提供する。【解決手段】少なくとも一部が二重筒であり、伸縮自在な筒部２と、設置場所の長さに応じて前記筒部の長さを固定する固定部４と、を備える。筒部２の下部に設けられ、設置場所の下側の排水部９６に接続される下側接続部５を、筒部２の上部に設けられ、設置場所の上側の排水部９７に接続される上側接続部３を更に備える。【選択図】図１
2015183352.tif 000002
【特許請求の範囲】
【請求項１】
少なくとも一部が二重筒であり、伸縮自在な筒部と、
設置場所の長さに応じて前記筒部の長さを固定する固定部と、
を備える仮設樋。
【請求項２】
前記筒部の下部に設けられ、前記設置場所の下側の排水部に接続される下側接続部を更に備える請求項１に記載の仮設樋。
【請求項３】
前記筒部の上部に設けられ、前記設置場所の上側の排水部に接続される上側接続部を更に備える請求項１又は２に記載の仮設樋。
【請求項４】
少なくとも一部が二重筒であり、伸縮自在な筒部と、設置場所の長さに応じて前記筒部の長さを固定する固定部と、を備える仮設樋を用いた仮設樋の施工方法であって、
前記筒部の下部を前記設置場所の下側の排水部に接続する下部の接続工程と、
前記筒部を伸縮させ、当該筒部の上部を前記設置場所の上側の排水部に接続する上部の接続工程と、
前記筒部の下部が下側の排水部に接続され、前記筒部の上部が上側の排水部に接続された状態で、前記固定部により、前記筒部の長さを固定する固定工程と、を備える仮設樋の施工方法。
【発明の詳細な説明】
【技術分野】
【０００１】
本発明は、仮設樋、仮設樋の施工方法の技術に関する。
【背景技術】
【０００２】
例えば、特許文献１には、建物の外壁に竪樋を設置する技術が開示されている。また、例えば、特許文献２には、柔軟性を有する樹脂製筒状シートからなる仮設竪樋が開示されている。
【先行技術文献】
【特許文献】
【０００３】
【特許文献１】特開２０１１−２３６６２４号公報
【特許文献２】特開２００４−１５０２１３号公報
【発明の概要】
【発明が解決しようとする課題】
【０００４】
仮設の竪樋を設置する方法として、塩ビパイプの上部に穴を開けて紐を通し、上階ドレンから吊るす方法がある。しかしながら、従来の方法では、塩ビパイプを上階のドレンから吊るす際に、脚立が必要であった。また、上記従来の方法では、仮設の竪樋の設置に少なくとも２名の作業者が必要であった。
【０００５】
本発明は、上記の問題に鑑み、従来よりも容易に仮設樋を設置できる技術を提供することを課題とする。
【課題を解決するための手段】
【０００６】
本発明では、上記課題を解決するため、仮設樋としての筒部の一部を二重筒として伸縮自在として、仮設樋の設置長さに応じて筒部を固定できるようにした。
【０００７】
詳細には、本発明は、少なくとも一部が二重筒であり、伸縮自在な筒部と、設置場所の長さに応じて前記筒部の長さを固定する固定部と、を備える仮設樋である。
【０００８】
本発明に係る仮設樋によれば、筒部のうち少なくとも一部が二重筒であり、伸縮自在である。そのため、作業者は、設置場所の床面に居ながら、筒部を伸ばし、例えば、筒部の上部を天井の排水部等に接続することができる。その結果、仮設樋の施工において、脚立が不要であり、筒部の伸縮、設置場所への筒部の接続は、一人の作業者が行うことができる。したがって、従来よりも容易に仮設樋を設置することができる。また、脚立が不要であり、高所作業を行う必要がないため、安全性が向上する。更に、仮設樋は、設置場所の長さに応じて筒部の長さが調整自在であるため、撤去後、他の設置場所においての使用が可能である。すなわち、本発明に係る仮設樋は、繰り返しの使用が可能である。
【０００９】
筒部は、伸ばした状態と、縮んだ状態とを有する。伸ばした状態では、縮んだ状態においてラップしている長さ分だけ長くすることができる。設置場所は、仮設樋が設置される場所であり、例えば、複数階層を有する建物における上層階の床と下層階の床との間に設置される竪樋の設置場所が例示される。
【００１０】
ここで、本発明に係る仮設樋は、前記筒部の下部に設けられ、前記設置場所の下側の排水部に接続される下側接続部を更に備える構成とすることができる。これにより、筒部の下部を設置場所の下側の排水部に接続することができる。下側接続部は、筒部の下部が下
側の排水部よりも下に抜け落ちないようにするとよい。また、下側接続部は、筒部の下部を下側の排水部に接続した際、筒部の下部の水平方向への移動を規制できるとよい。
【００１１】
また、本発明に係る仮設樋は、前記筒部の上部に設けられ、前記設置場所の上側の排水部に接続される上側接続部を更に備える構成とすることができる。これにより、筒部の上部を設置場所の上側の排水部に接続することができる。上側接続部は、筒部の上部が上側の排水部よりも上に抜けないようにするとよい。また、上側接続部は、筒部の上部を上側の排水部に接続した際、筒部の上部の水平方向への移動を規制できるとよい。
【００１２】
また、本発明は、仮設樋の施工方法として特定することができる。例えば、本発明は、少なくとも一部が二重筒であり、伸縮自在な筒部と、設置場所の長さに応じて前記筒部の長さを固定する固定部と、を備える仮設樋を用いた仮設樋の施工方法であって、前記筒部の下部を前記設置場所の下側の排水部に接続する下部の接続工程と、前記筒部を伸縮させ、当該筒部の上部を前記設置場所の上側の排水部に接続する上部の接続工程と、前記筒部の下部が下側の排水部に接続され、前記筒部の上部が上側の排水部に接続された状態で、前記固定部により、前記筒部の長さを固定する固定工程と、を備える仮設樋の施工方法である。
【００１３】
本発明に係る仮設樋の施工方法によれば、作業者は、設置場所の床面に居ながら、筒部を伸ばし、例えば、筒部の上部を天井の排水部等に接続することができる。その結果、仮設樋の施工において、脚立が不要であり、筒部の伸縮、設置場所への筒部の接続は、一人の作業者が行うことができる。したがって、従来よりも容易に仮設樋を設置することができる。また、脚立が不要であり、高所作業を行う必要がないため、安全性が向上する。
【発明の効果】
【００１４】
本発明によれば、従来よりも容易に仮設樋を設置できる技術を提供することができる。
【図面の簡単な説明】
【００１５】
【図１】図１は、実施形態に係る仮設の竪樋の設置状況を示す。
【図２】図２は、実施形態に係る仮設の竪樋の斜視図を示す。
【図３】図３は、実施形態に係る仮設の竪樋の分解斜視図を示す。
【図４】図４は、実施形態に係る仮設の竪樋の上側接続部の斜視図を示す。
【図５】図５は、実施形態に係る仮設の竪樋の固定部の斜視図を示す。
【図６】図６は、実施形態に係る仮設の竪樋の下側接続部の斜視図を示す。
【図７】図７は、実施形態に係る仮設の竪樋の筒部の断面図を示す。
【図８】図８は、実施形態に係る仮設の竪樋の施工フローを示す。
【図９】図９は、実施形態に係る仮設の竪樋の下部をドレンに接続する様子を示す。
【図１０】図１０は、実施形態に係る仮設の竪樋の伸縮状況を示す。
【発明を実施するための形態】
【００１６】
次に、本発明の実施形態について図面に基づいて説明する。以下の実施形態では、仮設の竪樋を複数階層の建物の上層階の床のドレンと下層階の床のドレンに接続する場合を例に説明する。以下の説明は例示であり、本発明は以下の内容に限定されるものではない。
【００１７】
＜構成＞
図１に示すように、仮設の竪樋１は、建物９の上層階の床のドレン９７（本発明の上側の排水部に相当する）と下層階の床のドレン９６（本発明の下側の排水部に相当する）に接続されている。建物９は、柱９１、梁９２、床９３、天井９４を備える。床９３には、底面が床面よりも低く形成された直線状の排水溝９５が設けられている。排水溝９５には、互いに間隔を開けて複数のドレン９６が設けられている（図１では、複数のドレンのう
ちの一部を示す）。ドレン９６，９７は、説明の便宜上、図１において床９３の排水溝９５に設けられているものを下層階の床のドレン９６と称し、図１において天井９４側に設けられているものを上層階の床のドレン９７と称する。下層階の床のドレン９６は、上層階の床のドレン９７の鉛直下方に設けられている。
【００１８】
図１から図３に示すように、仮設の竪樋１は、筒部２、上側接続部３、固定部４、下側接続部５を備える。筒部２は、少なくとも一部が二重筒であり、伸縮自在である。筒部２は、上側筒部２２と下側筒部２１とを有する。上側筒部２２と下側筒部２１は、何れも円筒である。但し、上側筒部２２は、下側筒部２１に内包できるよう、外径が下側筒部２１の内径よりも小さく形成されている（図７参照）。上側筒部２２と下側筒部２１は、所謂塩ビパイプによって構成されている。但し、材質や形状は、上記に限定されてない。
【００１９】
図４は、実施形態に係る仮設の竪樋の上側接続部の斜視図を示す。上側接続部３は、上層階の床のドレン９７で受けた水を仮設の竪樋１に導く。ドレンの孔（図示せず）は、水を導きやすくするため、一般的には、樋の径よりも大きく形成されている。そこで、上側接続部３は、このように互いに径が異なる、上層階の床のドレン９７の孔と仮設の竪樋１とを接続する機能を担う。具体的には、上側接続部３は、筒部２のうちの上側筒部２２の上部に接続自在であり、また、上層階の床のドレン９７に下層階側から接続自在である。上側接続部３は、全体として円筒形であり、ドレン側の大径部３１と、大径部３１と連なる筒部側の小径部３２とを有する。小径部３２は、大径部３１と反対側の先端に向けて外径及び内径が徐々に小さくなるよう形成されている。小径部３２の外径は、大径部３１側の最も大きい箇所で、上側筒部２２の内径とほぼ同じである。大径部３１は、小径部３２よりも外径及び内径が大きく形成されている。また、大径部３１の外径は、上層階の床のドレン９７の円形の孔の内径よりも僅かに小さく形成され、また、上側筒部２２の外径よりも更に一回り大きく形成されている。本実施形態では、上側接続部３に所謂塩ビのインクリーザが用いられている。但し、材質や形状は、上記に限定されない。
【００２０】
図５は、実施形態に係る仮設の竪樋の固定部の斜視図を示す。固定部４は、設置場所の長さに応じて筒部２の長さを固定する。具体的には、固定部４は、上側筒部２２の周囲に固定されることで、下側筒部２１上端と接する。その結果、上側筒部２２の下方への移動が規制される。固定部４は、上側筒部２２の周囲に巻かれ、一部が縁切りされたリング４１と、縁切りされた部分に連なる対向する長方形のプレート４１２，４１３を有する。プレート４１２，４１３には、固定装置４２のボルト４２１の軸が貫通する貫通孔が設けられている。固定装置４２は、ボルト４２１とナット４２２によって構成されている。本実施形態では、固定部４に所謂ステンレス製のリングバンドが用いられている。
【００２１】
固定部４の材質や形状は、上記に限定されるものではない。固定部４は、上側筒部２２に接続自在で、接続した際に、上側筒部２２の外面よりも外側に突出し、下側筒部２１と接するものであればよい。例えば、上側筒部２２の長手方向において、筒の中心を通る貫通孔を複数形成し、固定部４は、このような貫通孔に通す軸部材によって構成してもよい。軸部材の軸が下側筒部２１の上端と接することで上側筒部２２の下方への移動が規制される。また、軸部材を通す貫通孔の位置を変更することで、筒部２の長さが調整自在である。
【００２２】
なお、下側筒部２１に、上側筒部２２の貫通孔に対応する位置に貫通孔を設け、下側筒部２１の貫通孔と上側筒部２２の貫通孔とが連通した状態で軸部材を通して固定してもよい。また、本実施形態では、固定装置４２のボルト４２１、ナット４２２として、所謂蝶ボルト、蝶ナットが夫々用いられている。蝶ボルト、蝶ナットを用いることで、工具を用いることなく、ボルト４２１とナット４２２を係合することができる。但し、固定装置４２は、蝶ボルト、蝶ナット以外のボルトやナットを用いてもよい。また、例えば、ナット
４２２をプレート４１２又はプレート４１３に予め固定するか、プレート４１２又はプレート４１３の貫通孔にボルト４１２と係合する螺旋溝を設けるようにしてもよい。これにより、作業者は、片手でボルト４２１を固定部４に固定することができる。
【００２３】
図６は、実施形態に係る仮設の竪樋の下側接続部の斜視図を示す。下側接続部５は、筒部２の下部に設けられ、下層階の床のドレン９６に接続される。下側接続部５は、下側筒部２１の下部が下層階の床のドレン９６よりも下に抜け落ちないようにするとともに、下側筒部２１の下部の水平方向への移動を規制する。具体的には、下側接続部５は、下側筒部２１の下部の周囲に固定されることで、下層階の床のドレン９６の底面と接し、ドレン内の孔から抜け落ちるのを規制する。また、下側接続部５は、下層階の床のドレン９６の壁と接することで、下側筒部の下部の水平方向への移動を規制する。筒部２は、上部と下部が固定されることで、風による所謂「あばれ」の発生が抑制される。下側接続部５は、第一部材５１と第二部材５２とを組み合わせることで構成される。第一部材５１と第二部材５２は、基本的には同様の構成である。第一部材５１を例に説明すると、第一部材５１は、下側筒部２１の周囲に巻かれる半円状の半円部５１１と、半円部の両端に連なる長方形のプレート５１２，５１３を有する。プレート５１２，５１３には、固定装置５３のボルト５３１の軸が貫通する貫通孔が設けられている。固定装置５３は、ボルト５３１とナット５３２によって構成されている。本実施形態では、下側接続部５として、固定部４とは形状が異なる、所謂ステンレス製のリングバンドが用いられている。
【００２４】
下側接続部５の材質や形状は、上記に限定されるものではない。下側接続部５は、下側筒部２１に接続自在で、接続した際に、下側筒部２１の外面よりも外側に突出し、下層階の床のドレン９６の底面や壁と接するものであればよい。例えば、下側筒部２１の下端よりもやや上に筒の中心を通る貫通孔を形成し、下側接続部５は、このような貫通孔に通す軸部材によって構成してもよい。また、下側接続部５の下部に、外側に突出する突起を設けてもよい。また、下側接続部５として、上述した固定部４を用いてもよい。なお、固定部４として、下側接続部５を用いてもよい。また、本実施形態では、固定装置５３のボルト５３１、ナット５３２として、所謂蝶ボルト、及び蝶ナットが夫々用いられている。但し、固定部４と同じく、固定装置５３のボルト５３１、ナット５３２には、蝶ボルト、蝶ナット以外のボルトやナットを用いてもよい。また、例えば、ナット５３２をプレート５１２，５１３に予め固定するか、プレート５１２，５１３の貫通孔にボルト５３１と係合する螺旋溝を設けるようにしてもよい。
【００２５】
＜仮設の竪樋の施工方法＞
図８は、実施形態に係る仮設の竪樋の施工フローを示す。ステップＳ０１では、仮設の竪樋１の下部（下側筒部２１の下部）が、下層階の床のドレン９６に接続される。具体的には、まず、仮設の竪樋１の下部に下側接続部５が固定装置５３によって固定される。下側接続部５は、予め仮設の竪樋１に固定しておいてもよい。次に、図９に示すように、下側接続部５が、下層階の床のドレン９６の底面、及び壁と接するように、ドレン９６内に収容される。本実施形態では、下側接続部５のプレート５１２，５１３の両端部が、平面視矩形状のドレン９６の２つの角（対角）に接するように、下側接続部５がドレン９６内に収容される。その結果、下側筒部２１の下方への移動、及び水平方向への移動が規制される。
【００２６】
ステップＳ０２では、図１０に示すように、筒部２の長さを調整するため、上側筒部２２が上方にスライドされる。続いて、仮設の竪樋１の上部（上側筒部の上部に接続された上側接続部３）が、上層階の床のドレン９７の孔に接続される。具体的には、上側接続部３の大径部３１が上層階の床のドレン９７の孔に挿入される。
【００２７】
ステップＳ０３では、筒部２の上部と下部が夫々ドレン９６，９７に接続された状態で
、固定部４により、固定される。具体的には、固定部４が下側筒部２１の上端と接する位置で、上側筒部２２に取り付けられ、固定装置４２により、下側筒部２１の上端と接する位置で固定される。固定部４は、予め上側筒部２２に仮止めしておき、固定装置４２による固定状態を解除して、下側筒部２１の上端と接する位置までスライドさせるようにしてもよい。
【００２８】
以上により、仮設の竪樋１の設置が完了する（図１参照）。仮設の竪樋１を取り外す場合には、上述した作業フローと逆の手順で作業を行えばよい。すなわち、固定部４を取り外し（又は、固定部４をスライドさせて上方に移動し）、上側接続部３を上層階の床のドレン９７から取り外し、筒部２を縮め、下側接続部５を下層階の床のドレン９６から取り外せばよい。
【００２９】
＜効果＞
本実施形態に係る仮設樋によれば、筒部２が二重筒であり、伸縮自在である。そのため、作業者は、設置場所の床９３面に居ながら、筒部２を伸ばし、筒部２の上部を上層階の床のドレン９７（天井側のドレン）に接続することができる。その結果、仮設の竪樋１の施工において、脚立を用いる必要もない。また、脚立が不要であり、筒部２の伸縮、設置場所への筒部２の接続は、一人の作業者が行うことができる。したがって、従来よりも容易に仮設の竪樋１を設置することができる。また、脚立が不要であり、高所作業を行う必要がないため、安全性が向上する。更に、仮設の竪樋１は、設置場所の長さに応じて筒部２の長さが調整自在であるため、撤去後、他の設置場所においての使用が可能である。すなわち、本実施形態に係る仮設の竪樋１は、繰り返しの使用が可能である。また、本実施形態に係る仮設の竪樋１は、上部と下部が固定されているため、風の影響を受けにくく、風の影響による所謂あばれも生じにくい。
【００３０】
また、本実施形態に係る仮設の竪樋の施工方法によれば、作業者は、設置場所の床９３面に居ながら、筒部２を伸ばし、筒部２の上部を上層階の床のドレン９７（天井側のドレン）に接続することができる。その結果、脚立が不要となり、筒部２の伸縮、設置場所への筒部の接続は、一人の作業者が行うことができる。したがって、従来よりも容易に仮設の竪樋１を設置することができる。また、脚立が不要であり、高所作業を行う必要がないため、安全性が向上する。
【００３１】
以上、本発明の好適な実施形態を説明したが、本発明は、可能な限り各実施形態を組み合わせて実施することができる。
【符号の説明】
【００３２】
１・・・仮設の竪樋
２・・・筒部
２１・・・下側筒部
２２・・・上側筒部
３・・・上側接続部
４・・・固定部
５・・・下側接続部
９６、９７・・・ドレン
【図１】
2015183352.tif 000003
【図２】
2015183352.tif 000004
【図３】
2015183352.tif 000005
【図４】
2015183352.tif 000006
【図５】
2015183352.tif 000007
【図６】
2015183352.tif 000008
【図７】
2015183352.tif 000009
【図８】
2015183352.tif 000010
【図９】
2015183352.tif 000011
【図１０】
2015183352.tif 000012